(57)【要約】【課題】ユーザーがデジタルカメラで撮影した画像などを簡単な操作でカラオケの背景画像として使えるカラオケ装置を提供する。【解決手段】取り外し可能なメモリカード５は画像データ領域５−１、歌詞情報を含む曲データ領域５−２、設定データ領域５−３を有し、制御部７は操作部９の操作により画像データ領域５−３や本体の内部画像データ記憶部２７から選択した画像をオープニング画像や背景画像として切り換え時間等も含めて設定データ領域に記憶させる。電源投入時またはメモリカード５挿入時に、制御部７は設定データに基づいて画像データを取り出して画像表示処理部２９で歌詞情報とミキシング処理して映像出力回路３１からモニターテレビ３５に表示させる。【選択図】  図１
2004271959.tif 000002
【特許請求の範囲】
【請求項１】
少なくとも歌詞情報を含む曲データと画像データと設定情報とを記録可能なメモリカードと、
前記メモリカードを着脱可能なカード装着部と、
音声を集音するマイクロホンと、
前記メモリカードの画像データと歌詞情報とを信号処理して映像信号を出力する画像信号処理部と、
前記メモリカードの曲データと前記マイクロホンからの音声入力とを信号処理して音声信号を出力する音声信号処理部と、
操作部と、
前記操作部の操作に基づき装置全体の動作を制御する制御部とを備え、
前記制御部は前記画像信号処理部を用いて前記カード装着部に装着された前記メモリカードの画像データと歌詞情報とを信号処理して映像信号を出力させ、前記カード装着部に装着された前記メモリカードの曲データと前記マイクロホンの音声信号とを処理して音声信号を出力させるとともに、
前記メモリカードの設定情報に基づいて前記メモリカードの画像データを選択して前記映像信号に重畳して出力することを特徴とするカラオケ装置。
【請求項２】
画像データを記憶する内蔵メモリをさらに備え、
前記制御部は前記メモリカードに画像データが記録されていない場合または前記設定情報の指示がある場合は前記内蔵メモリの画像データを自動的に前記画像信号処理部に与えることを特徴とする請求項１記載のカラオケ装置。
【請求項３】
前記メモリカードの設定情報に基づいて前記メモリカードのあらかじめ選択した複数の画像データを背景として順次前記画像信号処理部に与えることを特徴とする請求項１記載のカラオケ装置。
【請求項４】
前記メモリカードの設定情報において前記複数のあらかじめ選択した画像データの表示切り換え時間を任意に設定できることを特徴とする請求項３記載のカラオケ装置。
【請求項５】
電源起動時に前記メモリカードの設定情報に基づき画像データを前記画像信号処理部に与えることを特徴とする請求項１から４のいずれかに記載のカラオケ装置。
【請求項６】
前記メモリカードの挿入時に前記メモリカードの設定情報に基づき画像データを前記画像信号処理部に与えることを特徴とする請求項１から４のいずれかに記載のカラオケ装置。
【発明の詳細な説明】
【０００１】
【発明の属する技術分野】
本発明はメモリに記憶した伴奏音楽データ、背景画像および歌詞テキストを用いてカラオケができるカラオケ装置に関し、背景画像として自分が撮影したものを用いることができるものに関する。
【０００２】
【従来の技術】
近年、伴奏音楽を流しながらマイクロホンを用いて歌唱できるカラオケ装置が発達し、今や国民的娯楽の一つとして定着している。開発当初は複数トラックのエンドレステープやカセットテープを用いて伴奏音楽を再生し、ユーザーは歌詞カードを見ながら歌唱するものであったが、光ディスクやビデオテープによって動画・静止画の背景画像や歌詞テロップを流すことによって歌詞カードを不要にしたものが現れ、さらには通信線によってこれらが供給されるようにもなった。
【０００３】
一方、特許文献１に示すように、メモリを用いて背景画像や伴奏音楽、歌詞データ等を再生できるものが開発され、容易に携帯できるようになってきている。
【０００４】
【特許文献１】
再公表特許ＷＯ００／２８５２２号公報（全文）
【０００５】
【発明が解決しようとする課題】
このような従来のカラオケ装置は、背景画像がすでに記録媒体に納められているか、または通信線によって送られてくるものしか用いられず、ユーザーの好みに関係なく一定の内容のものしか使用できないという問題点があった。
【０００６】
本発明は、ユーザーがデジタルカメラ等で撮影した画像を容易に背景画像として用いることができ、その画像の再生方法などを自分流にカスタマイズして楽しめるカラオケ装置を提供することを目的とする。
【０００７】
【課題を解決するための手段】
この課題を達成するための本発明のカラオケ装置は、基本の構成として、少なくとも歌詞情報を含む曲データと画像データと設定情報とを記録可能なメモリカードと、前記メモリカードを着脱可能なカード装着部と、音声を集音するマイクロホンと、前記メモリカードの画像データと歌詞情報とを信号処理して映像信号を出力する画像信号処理部と、前記メモリカードの曲データと前記マイクロホンからの音声入力とを信号処理して音声信号を出力する音声信号処理部と、操作部と、前記操作部の操作に基づき装置全体の動作を制御する制御部とを備え、前記制御部は前記画像信号処理部を用いて前記カード装着部に装着された前記メモリカードの画像データと歌詞情報とを信号処理して映像信号を出力させ、前記カード装着部に装着された前記メモリカードの曲データと前記マイクロホンの音声信号とを処理して音声信号を出力させるとともに、前記メモリカードの設定情報に基づいて前記メモリカードの画像データを選択して前記映像信号に重畳して出力する構成となっている。
【０００８】
そしてこの構成において、画像データを記憶する内蔵メモリをさらに備え、前記制御部は前記メモリカードに画像データが記録されていない場合または前記設定情報の指示がある場合は前記内蔵メモリの画像データを自動的に前記画像信号処理部に与える構成とすることができる。
【０００９】
また基本の構成において、前記メモリカードの設定情報に基づいて前記メモリカードのあらかじめ選択した複数の画像データを背景として順次前記画像信号処理部に与える構成とすることができる。
【００１０】
そしてさらに前記メモリカードの設定情報において前記複数のあらかじめ選択した画像データの表示切り換え時間を任意に設定できる構成とすることができる。
【００１１】
また前記各構成において電源起動時に前記メモリカードの設定情報に基づき画像データを前記画像信号処理部に与えることもでき、また前記メモリカードの挿入時に前記メモリカードの設定情報に基づき画像データを前記画像信号処理部に与えることもできる。
【００１２】
本発明はこれらの構成において、メモリカードを挿入すれば、メモリカードの設定情報に基づいて自動的にユーザーの希望する画像をオープニング画面やカラオケの背景画面として用いながらカラオケを楽しむことができるように作用する。
【００１３】
【発明の実施の形態】
以下、図面に基づいて本発明の一実施形態のカラオケ装置について説明する。図１は本発明の一実施形態のカラオケ装置のブロック図、図２は同じくカラオケ装置の外観図、図３は同じくその表示画面を示す説明図、図４は同じく取り外し可能なメモリにおける設定情報を示す説明図、図５は同じく電源投入時の動作フローチャート、図６は同じくカード挿入時の動作フローチャート、図７は同じく画像切り換え動作のフローチャートである。
【００１４】
図１において、カラオケ装置本体１にはカード装着部３が設けられ、このカード装着部３には図示しないコネクタを介して着脱自在にメモリカード５が装着できる。メモリカード５はフラッシュメモリ等の不揮発性半導体記憶素子を内蔵しており、画像データ記憶領域５−１、歌詞情報を含む曲データ記憶領域５−２、設定データ記憶領域５−３を有する。フラッシュメモリに代えてバッテリーバックアップしたランダムアクセスメモリや超小型のハードディスクドライブを用いることも可能である。このメモリカード５は、デジタルカメラやデジタルビデオカメラに装着することもでき、それ等で撮影した画像を記憶することができる。
【００１５】
またメモリカード５は、パーソナルコンピュータに接続して、パーソナルコンピュータを介して画像データを取り込むことができる。画像データ形式は特定しないが、ＪＰＥＧ形式などがデジタルカメラで広く用いられており、互換性の観点とデータ量が少ないことから好適であろう。
【００１６】
カラオケ装置本体１内部には装置内部の各部およびメモリカード５を制御する制御部７を備えており、制御部７は図示しないが制御プログラムを収めたＲＯＭを有する。また制御部７にユーザーの操作指示を与えるための操作部９、表示等の設定方法を一時記憶する設定情報記憶部１１を備えている。ユーザーの歌声を入力するマイクロホン１３、２本目のマイクロホンを接続するための外部マイクロホン入力端子１５は、マイクロホンからの入力にエコーをかけるマイクエコー部１７の入力に接続されている。メモリカード５の曲データは曲再生部１９に入力され、マイクエコー部１７と曲再生部１９の出力は加算回路２１でミキシングされて音声出力回路２３に入力され、増幅されて音声出力端子２５に出力される。マイクエコー部１７、曲再生部１９、加算回路２１、および音声出力回路２３を綜合して音声信号処理部とする。
【００１７】
一方、内部画像データを記憶する内部画像データ記憶部２７の画像データ、メモリカード５の画像データおよび歌詞情報は映像表示処理部２９に入力され混合され、映像出力回路３１でモニターテレビ３５などの外部表示部に表示可能なビデオ映像に処理され、映像出力端子３３に出力される。画像処理部２９と映像信号出力回路とを綜合して画像信号処理部とする。
【００１８】
カラオケ装置外部にはモニターテレビ３５が配置され、音声入力端子３７、映像入力端子３９にはカラオケ装置本体１の音声出力端子２５、映像出力端子３３からそれぞれ接続されており、背景画像４１と歌詞画像４３が表示され、モニターテレビ３５の図示しないスピーカから伴奏音楽とエコーのかかったユーザーの歌声とがミキシングされて再生される。
【００１９】
図２によって本カラオケ装置の操作部分を説明する。右側面の電源ボタン５１は約２秒の長押しで電源のオン・オフを切り換える。これは操作中にうっかり意図しないときに電源を切ってしまったりすることを防ぐためである。マイクボタン５３はマイクロホンの入力オン・オフを切り換える。
【００２０】
ディスプレイ５５はモニターテレビ３５と分担して、または同時に曲番号やカラオケ装置の様々な設定状態などを表示する。
【００２１】
エコー／メニューボタン５７はエコーの種類を変更し、約２秒の長押しでメニュー設定画面に切り換える。予約ボタン５９は、停止中に曲を予約したり、予約を取り消すのに用いる。
【００２２】
左選択ボタン６１、右選択ボタン６３、上選択ボタン６５、下選択ボタン６７はそれぞれ曲を選んだり、テンポやキーを変えたりする場合に用いる。決定ボタン６９は選択ボタンで選んだ事項の決定や、曲のスタート・ストップなどを行う。マイク音量ボタン７１、７３でマイク音量の大小を調節し、伴奏音量ボタン７５、７７で伴奏音量の大小をそれぞれ任意に調節できる。エコー／メニューボタン５７を短く押すたびにエコーの程度が順次変化し、演奏中に選択ボタン６５、６７を押すことで伴奏のキーが変化し、また演奏中に選択ボタン６１、６３を押すことにより伴奏のテンポを変えることができる。
【００２３】
図示を省略するが、底部には外部マイクロホン入力端子１５、モニターテレビ３５にケーブルで接続するための音声出力端子２５、映像出力端子３３などを配置する。
【００２４】
以上のように構成され、つぎに図３を用いてメモリカードの画像を背景として表示する場合の操作方法を説明する。まずメモリカード５が挿入されている状態でエコー／メニューボタン５７を長押ししてメニュー設定モードに入り図３（ａ）のメインメニューがモニターテレビ３５に表示される。ここで、ポインターＰ（太枠表示）は、最上列のメニューの種類のうち「画像」メニューが選択された状態であり、また項目４−１〜４−３列は「自動」「本体」「ふつう」が選択され、この選択は前回選択が記憶されて表示されるようになっており、最初は初期設定状態が選択されるようになっている。
【００２５】
この図３（ａ）に示すメインメニューおいて、選択ボタン６５，６７でポインターＰを移動させ、４−１列の「背景」を選び、選択ボタン６１、６３で「自動」の右の「選択」を選び、さらに右選択ボタン６３で「選択実行」を選んで、決定ボタン６９を押すと、モニターテレビ３５の表示が図３（ｂ）の背景画選択画面に切り替わる。そこで選択ボタン６５、６７を用いてポインターＰを移動させ、メモリ５内の画像を選ぶと、その都度子画面４２にサムネイルが表示され、決定ボタン６９を押すとそのときの画像が選択される。この選択結果は設定情報記憶部１１に一時記憶される。所定数、たとえば２０枚の範囲内で必要な枚数だけ以上の操作を繰り返すと複数枚の画像を背景画像として選択することができる。最後に右選択ボタン６３で「戻る」を選び、決定ボタン６９を押して図３（ａ）のメインメニューに戻る。
【００２６】
次に、選択ボタン６５、６７でポインターＰを移動させ、４−２列の「オープニング」の行の「選択」を選び、さらに「選択実行」を選んで決定ボタン６９を押すと、図３（ｃ）のオープニング選択の画面がモニターテレビ３５の子画面４２に表示され、ここで選択ボタン６５、６７でオープニング画像を選んで決定ボタン６９を押し、オープニング画像を決定する。この結果は設定情報記憶部１１に一時記憶される。複数の背景画像の切り換え時間はメインメニューの４−３列の「画像きりかえ」で「おそい・ふつう・はやい」の中から希望の切り替え時間を選択でき、この結果も設定情報記憶部１１に一時記憶される。
【００２７】
最後にメインメニュー図３（ａ）で４−４列の「保存設定」で「実行」を選び決定ボタン６９を押すと、上記の各設定は設定情報記憶部１１からメモリカード５の設定データ領域５−３に書き込まれ、エコー／メニューボタン５７を長押ししてメニュー設定を終了する。
【００２８】
「保存設定」で「実行」を行わないとメモリカード５には設定データは保存されないので、本体の設定情報記憶部１１のみに設定され、電源を切るまでのみの記憶となる。
【００２９】
上記の背景の設定では、「選択」を選んだことで、ユーザーが選択したメモリカード５内の画像を背景に設定したが、「本体」を選ぶと本体の内部画像データ記憶部２７の画像を背景に設定し、「自動」を選ぶと、メモリカード５に画像データがあり、設定がされているときは、それを背景に用い、ない場合は制御部７のＲＯＭに設定されている、本体の内部画像データ記憶部２７の画像を背景に設定する。オープニング画像も図３（ａ）の４−２列で本体のものを設定することができる。図４にメモリカード５の設定データ領域５−３の記憶内容を示す。
【００３０】
このようにして設定されたメモリカード５をカラオケ装置本体５のカード装着部３に装着して使用する場合を図５を併用して説明する。ステップＳ５１で電源を投入すると制御部７はステップＳ５２でメモリカード５が挿入されているかどうかをチェックし、カードがあれば、ステップＳ５３で、すでに設定データが記憶されているかどうかチェックし、設定されていれば、ステップＳ５４で設定データを領域５−３から読み出して本体の設定情報記憶部１１にそれを転送する。メモリカード５が挿入されていないか、またはカード内に設定データがなければ、本体の制御部７のＲＯＭに記憶されているデフォルト値に設定される。
【００３１】
つぎにステップＳ５６でオープニング画像が設定されているかをチェックし、設定されていればステップＳ５７でメモリカード５からオープニング画面を読み出してモニターテレビ３５に表示し、もし設定されていなければステップＳ５８で本体の内部画像データ記憶部２７から画像データを取りだして表示する。そしてステップＳ５９で次の操作を待つ。メモリカード５の画像はその都度直接読み出してもいいが、メモリカード挿入時に必要な画像を設定情報に基づき本体内の記憶部に転送しておき、それを用いてもよい。
【００３２】
図６は、すでに電源が投入されたカラオケ装置に、メモリカード５を挿入した場合の動作フローチャートで、ステップＳ６１でメモリカード５が挿入されると、ステップＳ６２でカード内に設定データがあるかどうかチェックし、あればステップＳ６３で本体の設定情報記憶部１１にそれを転送する。設定がなければステップＳ６４でデフォルト値に設定してステップＳ６５で次の操作を待つ。もし設定データにオープニング画像が含まれていれば、図５のようにオープニング画像を表示したうえで操作待ちになってもよい。
【００３３】
このようにしてオープニング画像が表示され、ついで選曲画面となり選曲待ちとなる。図示を省略するがモニターテレビ３５にメモリカード５に記憶された曲データの一覧が表示され、選択ボタン６５、６７で曲を選択して決定ボタン６９を押すことによって選曲され、演奏が開始され、背景の画像切り替えが始まる。
【００３４】
図７によって説明すると、演奏が始まり、ステップＳ７１の画像切り替えを開始し、ステップＳ７２で画像切り替えの設定をチェックし、「自動」になっていればステップ７３でメモリカード５内の領域５−１の画像を検索し、ステップＳ７４でメモリカード５内に画像があればステップＳ７５で見つけた画像の中から、次に表示する画像を決定する。
【００３５】
ステップＳ７２で画像切り換え設定は自動でない場合、ステップＳ７６で画像切り換え設定は選択画像表示かどうかをチェックし、選択画像表示であればステップＳ７７で選択画像リストの中から次に表示する画像を決定する。ステップＳ７５、ステップＳ７７とも表示画像が決定すればステップＳ７８へ行き、メモリカード５から決定した画像を読み出して表示し、ステップＳ８１で画像切り替えを終了する。
【００３６】
ステップＳ７４、ステップＳ７６でＮｏの場合はステップＳ７９で本体内蔵の内部画像データ記憶部２７から次に表示する画像を決定し、ステップＳ８０で内部画像データ記憶部２７から画像データを読み出して表示し、ステップＳ８１へ進む。
【００３７】
このように、本実施形態のカラオケ装置は、歌詞情報を含む曲データと画像データと設定データとをそれぞれ記憶する領域を備え、画像データとしてデジタルカメラ、デジタルビデオカメラ、パーソナルコンピュータ等から取り込んだ画像を記憶させることができ、本体内部に有する画像データか、メモリカードに記憶させた画像データかを選択して設定データとしてメモリカードの設定データ領域に記憶しておくことによって、メモリカードを挿入すれば自動的にユーザーの希望する画像をオープニング画面やカラオケの背景画面として用いながらカラオケを楽しむことができる。
【００３８】
なお、上記説明した操作箇所、操作方法、回路構成、表示画面等は一例であり、請求の範囲内で任意に変更して実施することができる。
【００３９】
またモニターテレビへは出力ケーブルで接続するように説明したが、テレビジョン信号に変調して無線で送信してもよい。
【００４０】
【発明の効果】
以上説明したように本発明のカラオケ装置によれば、歌詞情報を含む曲データと画像データと設定データとをそれぞれ記憶する領域を備え、画像データとしてデジタルカメラ、デジタルビデオカメラ、パーソナルコンピュータ等から取り込んだ画像を記憶させることができ、本体内部に有する画像データか、メモリカードに記憶させた画像データかを選択して設定データとしてメモリカードの設定データ領域に記憶しておくことによって、メモリカードを挿入すれば自動的にユーザーの希望する、たとえばユーザーがデジタルカメラで撮影した画像をオープニング画面やカラオケの背景画面として用いながらカラオケを楽しむことができる有用な発明である。
【図面の簡単な説明】
【図１】本発明の一実施形態のカラオケ装置のブロック図
【図２】同じくカラオケ装置の外観図
【図３】同じくその表示画面を示す説明図
【図４】同じく取り外し可能なメモリにおける設定情報を示す説明図
【図５】同じく電源投入時の動作フローチャート
【図６】同じくカード挿入時の動作フローチャート
【図７】同じく画像切り換え動作のフローチャート
【符号の説明】
１  カラオケ装置
３  カード装着部
５  メモリカード
５−１  画像データ記憶領域
５−２  曲データ記憶領域
５−３  設定データ記憶領域
７  制御部
９  操作部
１１  設定情報記憶部
１３  マイクロホン
１５  外部マイクロホン入力端子
１７  マイクエコー部
１９  曲再生部
２１  加算回路
２３  音声出力回路
２５  音声出力端子
２７  内部画像データ記憶部
２９  映像表示処理部
３１  映像出力回路
３３  映像出力端子
３５  モニターテレビ
４１  背景画像
４３  歌詞画像
【図１】
2004271959.tif 000003
【図２】
2004271959.tif 000004
【図３】
2004271959.tif 000005
【図４】
2004271959.tif 000006
【図５】
2004271959.tif 000007
【図６】
2004271959.tif 000008
【図７】
2004271959.tif 000009